(57)【要約】    【課題】  ＩＰアドレスを簡単な操作でグループ設定する。    【解決手段】  携帯送信機２１の送信要求ボタンを一定時間以上押すと、携帯送信機２１からＩＤおよびＩＰアドレスが送信され、車両側送受信ユニット２０の送受信部１１０が携帯送信機２１から送信されたＩＤとＩＰアドレスとを受信し、ＣＰＵ１０が送受信部１１０により受信された受信ＩＤとＩＤ記憶部１２０に記憶された車載機側ＩＤとを照合し、受信ＩＤと車載機側ＩＤとが違う場合は、受信受信ＩＰアドレスをグループＩＰアドレス記憶部３０に記憶してグループ設定し、受信ＩＤと車載機側ＩＤとが同じ場合は、受信ＩＤをドアのロック／アンロック信号とみなし、アクチュエータ制御部１３０に信号を出力する。【選択図】        図１
2005117553.tif 000002
【特許請求の範囲】
【請求項１】
携帯送信機と、車両側送受信ユニットと、上記車両側送受信ユニットに接続された車載ＩＰ通信端末とを具備し、
上記携帯送信機は、上記車両側送受信ユニットに送信可能な送信部と、第１のＩＤ記憶部と、第１のＩＰアドレス記憶部とを備え、
上記車両側送受信ユニットは、上記携帯送信機と通信可能な送受信部と、第２のＩＤ記憶部とを備え、
上記車載ＩＰ通信端末は、ＩＰ通信可能なＩＰ送受信部と、グループＩＰアドレス記憶部とを備え、上記携帯送信機から送信されかつ上記送受信部で受信した受信ＩＤと上記第２のＩＤ記憶部に記憶された車載機側ＩＤとを照合し、上記受信ＩＤと上記車載機側ＩＤとが一致しない場合は上記携帯送信機から送信されかつ上記送受信部で受信した受信ＩＰアドレスを上記グループＩＰアドレス記憶部に記憶してグループ設定する
ことを特徴とする車両用ＩＰ通信システム。
【請求項２】
上記携帯送信機は上記第１のＩＤ記憶部に記憶されたＩＤおよび上記第１のＩＰアドレス記憶部に記憶されたＩＰアドレスの送信要求を指示するための送信要求ボタンを備え、上記送信要求ボタンを一定時間未満押すと上記ＩＤを送信し、上記送信要求ボタンを一定時間以上押すと上記ＩＤおよび上記ＩＰアドレスを送信することを特徴とする請求項１に記載の車両用ＩＰ通信システム。
【請求項３】
上記車載ＩＰ通信端末は、上記受信ＩＰアドレスがグループ設定されたことを提示することを特徴とする請求項１に記載の車両用ＩＰ通信システム。
【請求項４】
上記車載ＩＰ通信端末は、エンジンがかかっていない状態で上記受信ＩＰアドレスを受信しても、上記受信ＩＰアドレスを上記グループＩＰアドレス記憶部に記憶しないことを特徴とする請求項１に記載の車両用ＩＰ通信システム。
【請求項５】
上記車載ＩＰ通信端末は、上記受信ＩＰアドレスを受信してから一定時間以内にＩＰアドレスのグループ設定の確認がない場合は上記受信ＩＰアドレスを上記グループＩＰアドレス記憶部に記憶しないことを特徴とする請求項１に記載の車両用ＩＰ通信システム。
【請求項６】
上記車両側送受信ユニットは、受信ＩＰアドレスがグループ設定されたとき光または音で応答することを特徴とする請求項１に記載の車両用ＩＰ通信システム。
【請求項７】
上記車載ＩＰ通信端末は、上記グループＩＰアドレス記憶部内の上記ＩＰアドレスのグループ設定が有効か、無効かを示すＯＮ／ＯＦＦフラグを記憶するフラグ記憶手段を備え、上記ＯＮ／ＯＦＦフラグがＯＦＦになっている上記ＩＰアドレスの上記ＯＮ／ＯＦＦフラグをＯＮにすることによってグループ設定することを特徴とする請求項１に記載の車両用ＩＰ通信システム。
【請求項８】
上記車載ＩＰ通信端末は、上記グループＩＰアドレス記憶部内の上記ＩＰアドレスのグループ設定が有効か、無効かを示すＯＮ／ＯＦＦフラグを記憶するフラグ記憶手段を備え、上記ＯＮ／ＯＦＦフラグをＯＮからＯＦＦにすることによってグループ設定を解除することを特徴とする請求項１に記載の車両用ＩＰ通信システム。
【請求項９】
上記車載ＩＰ通信端末は、上記ＩＰアドレスの上記ＯＮ／ＯＦＦフラグがＯＮになってから一定時間が経過すると、上記ＩＰアドレスの上記ＯＮ／ＯＦＦフラグをＯＦＦにすることによってグループ設定を解除することを特徴とする請求項８に記載の車両用ＩＰ通信システム。
【請求項１０】
上記車載ＩＰ通信端末は、自宅の所在地を登録する自宅登録手段と、上記自宅登録手段に登録された情報に基づいて自宅に到着したことを検出する自宅到着検出手段とを備え、上記自宅到着検出手段が自宅に到着したことを検出し、かつ上記車両側送受信ユニットがエンジンがかかっていないことを検知したとき、上記ＯＮ／ＯＦＦフラグがＯＮになっている上記ＩＰアドレスの上記ＯＮ／ＯＦＦフラグをＯＦＦにすることによってグループ設定を解除することを特徴とする請求項８に記載の車両用ＩＰ通信システム。
【請求項１１】
携帯送信機と、車両側送受信ユニットと、上記車両側送受信ユニットに接続された車載ＩＰ通信端末とを具備し、
上記携帯送信機は、上記車両側送受信ユニットと通信可能な送信部と、第１のＩＤ記憶部と、第１のＩＰアドレス記憶部とを備え、
上記車両側送受信ユニットは、上記携帯送信機と通信可能な送受信部と、第２のＩＤ記憶部とを備え、
上記車載ＩＰ通信端末は、ＩＰ通信可能なＩＰ送受信部と、第２のＩＰアドレス記憶部と、グループＩＰアドレス記憶部とを備え、上記携帯送信機から送信されかつ上記送受信部で受信した受信ＩＤと上記第２のＩＤ記憶部に記憶された記憶ＩＤとを照合し、上記受信ＩＤと上記記憶ＩＤとが一致した場合は上記携帯送信機から送信されかつ上記送受信部で受信した受信ＩＰアドレスを上記第２のＩＰアドレス記憶部に記憶する
ことを特徴とする車両用ＩＰ通信システム。
【請求項１２】
上記車載ＩＰ通信端末は、上記受信ＩＰアドレスが記憶されたことを提示することを特徴とする請求項１１に記載の車両用ＩＰ通信システム。
【請求項１３】
第１のＩＤ記憶部と、
第１のＩＰアドレス記憶部と、
上記第１のＩＤ記憶部に記憶されたＩＤおよび上記第１のＩＰアドレス記憶部に記憶されたＩＰアドレスを送信可能な送信部とを備えた
ことを特徴とする携帯送信機。
【請求項１４】
上記ＩＤおよび上記ＩＰアドレスの送信要求を指示するための送信要求ボタンを備え、上記送信要求ボタンを一定時間未満押すと上記ＩＤを送信し、上記送信要求ボタンを一定時間以上押すと上記ＩＤおよび上記ＩＰアドレスを送信することを特徴とする請求項１３に記載の携帯送信機。
【請求項１５】
車両側送受信ユニットと、上記車両側送受信ユニットに接続された車載ＩＰ通信端末とを具備し、
上記車両側送受信ユニットは、携帯送信機と通信可能な送受信部と、第２のＩＤ記憶部とを備え、
上記車載ＩＰ通信端末は、ＩＰ通信可能な送受信部と、グループＩＰアドレス記憶部とを備え、上記送受信部で受信した受信ＩＤと上記第２のＩＤ記憶部に記憶された車載機側ＩＤとを照合し、上記受信ＩＤと上記車載機側ＩＤとが一致しない場合は上記送受信部で受信した受信ＩＰアドレスを上記グループＩＰアドレス記憶部に記憶してグループ設定する
ことを特徴とする車両用ＩＰ通信システム車載装置。
【発明の詳細な説明】
【技術分野】
【０００１】
本発明は車両に搭載されかつＩＰ（インターネットプロトコル）ベースの通信を行なう車両用ＩＰ通信システム、車両用ＩＰ通信システムに使用する携帯送信機、車両用ＩＰ通信システム車載装置に関するものである。
【背景技術】
【０００２】
インターネットの普及により、インターネットに接続して運行に関するさまざまな情報を取得する車載情報端末が注目されている。この車載情報端末では今後ＩＰをベースにした通信を行なうと思われる。ＩＰベースの通信では相手先の特定にＩＰアドレスを利用する。そして、グループ走行で車車間通信を行なうためには相手のＩＰアドレスをグループ設定する必要がある。車載情報端末は相手のＩＰアドレスをグループ設定するときには、ＩＰアドレスをパーソナルコンピュータ（ＰＣ）などを経由して入力する必要があった。
【０００３】
なお、この種の従来技術について記載されている文献としては、特許文献１を挙げることができる。
【０００４】
【特許文献１】特開２００３−８７２３１号公報
【発明の開示】
【発明が解決しようとする課題】
【０００５】
しかし、ＩＰアドレスをパーソナルコンピュータなどを経由して入力するときには、グループ走行するときに相手のＩＰアドレスをグループ設定するための入力操作に手間がかかる。
【０００６】
本発明は上述の課題を解決するためになされたもので、ＩＰアドレスを簡単な操作でグループ設定することができる車両用ＩＰ通信システム、携帯送信機、車両用ＩＰ通信システム車載装置を提供することを目的とする。
【課題を解決するための手段】
【０００７】
この目的を達成するため、本発明においては、車載ＩＰ通信端末は、携帯送信機から送信されかつ車両側送受信ユニットの送受信部で受信した受信ＩＤと車両側送受信ユニットのＩＤ記憶部に記憶された車載機側ＩＤとを照合し、上記受信ＩＤと上記車載機側ＩＤとが一致しない場合は上記携帯送信機から送信されたかつ上記送受信部で受信した受信ＩＰアドレスをグループＩＰアドレス記憶部に記憶してグループ設定する。
【発明の効果】
【０００８】
本発明に係る車両用ＩＰ通信システム、携帯送信機、車両用ＩＰ通信システム車載装置においては、携帯送信機に記憶されたＩＰアドレスを受信し、グループＩＰアドレス記憶部に記憶してグループ設定するので、ＩＰアドレスを簡単な操作でグループ設定することができる。
【発明を実施するための最良の形態】
【０００９】
（第１の実施の形態）
図１は本発明に係る車両用ＩＰ通信システム、携帯送信機、車両用ＩＰ通信システム車載装置の構成を示す図である。図に示すように、車両用ＩＰ通信システムは、携帯送信機２１と、車両側送受信ユニット２０と、車両側送受信ユニット２０に接続された車載ＩＰ通信端末１とを有しており、車載ＩＰ通信端末１と車両側送受信ユニット２０とで車両用ＩＰ通信システム車載装置が構成されている。
【００１０】
車載ＩＰ通信端末１はＣＰＵ１０を有しており、ＣＰＵ１０はグループＩＰアドレス記憶部３０、ＩＰ送受信部４０、第２のＩＰアドレス記憶部５０および車載情報端末６０に接続されている。車両側送受信ユニット２０は携帯送信機２１から送信されたＩＰアドレスを受信し、受信ＩＰアドレスをＣＰＵ１０に出力する。ＣＰＵ１０は受信ＩＰアドレスをグループＩＰアドレス記憶部３０に記憶してグループ設定する。ＩＰ送受信部４０はグループ走行する他の車両に搭載された車載ＩＰ通信端末１とＩＰアドレスを使用してＩＰをベースにして通信を行なう。ＩＰアドレス記憶部５０には自己ＩＰアドレスが記憶されている。自己ＩＰアドレスは車両用ＩＰ通信システムの販売時にＩＰアドレス記憶部５０に書き込まれる。グループＩＰアドレス記憶部３０にはＩＰアドレスが記憶されグループ設定される。車載情報端末６０はＩＰ送受信部４０を介して車車間通信を行なったり、サーバーに接続し、運行情報などを取得する。また、車載情報端末６０は表示部、グループ設定解除ボタンを有している。
【００１１】
車両側送受信ユニット２０はＣＰＵ１００を有しており、ＣＰＵ１００は送受信部１１０、第２のＩＤ記憶部１２０およびアクチュエータ制御部１３０に接続されている。送受信部１１０は携帯送信機２１の送信部２１０と無線で通信を行なう。ＩＤ記憶部１２０は車両のドアのロックとロック解除を行なうためのＩＤを記憶する。アクチュエータ制御部１３０はＣＰＵ１００からの指示によりドアのロックをしたり、ロックを解除したりするアクチュエータを制御する。また、アクチュエータ制御部１３０はエンジンがかかっているかどうかの状態を検知して、検知信号をＣＰＵ１００に出力する。
【００１２】
携帯送信機２１はＣＰＵ２００を有しており、ＣＰＵ２００は送信部２１０、第１のＩＤ記憶部２２０、第１のＩＰアドレス記憶部２３０および入力部２４０に接続されている。送信部２１０は送受信部１１０に無線で送信可能である。ＩＤ記憶部２２０は車両のドアのロックとロック解除を行なうためのＩＤを記憶する。ＩＰアドレス記憶部２３０には自車のＩＰアドレスが記憶されている。自車のＩＰアドレスは車両用ＩＰ通信システムの販売時にＩＰアドレス記憶部２３０に書き込まれる。入力部２４０はドアのロックとロック解除の指示を行なう。また、入力部２４０はＩＤ記憶部２２０に記憶されたＩＤおよびＩＰアドレス記憶部２３０に記憶されたＩＰアドレスの送信要求を指示するための送信要求ボタンを備えており、送信要求ボタンを一定時間未満押すと、送信部２１０はＩＤを送信し、送信要求ボタンを一定時間以上押すと、送信部２１０はＩＤおよびＩＰアドレスを送信する。
【００１３】
つぎに、第１の実施の形態の車両用ＩＰ通信システム、携帯送信機、車両用ＩＰ通信システム車載装置におけるＩＰアドレスのグループ設定について図２により説明する。まず、ユーザが携帯送信機２１の送信要求ボタンを一定時間以上押す（Ｓ１００）と、携帯送信機２１からＩＤ記憶部２２０に記憶されたＩＤ、ＩＰアドレス記憶部２３０に記憶されたＩＰアドレスが送信され、送受信部１１０が携帯送信機２１から送信されたＩＤとＩＰアドレスとを受信する（Ｓ１１０、Ｓ１２０）。つぎに、ＣＰＵ１０が送受信部１１０により受信された受信ＩＤとＩＤ記憶部１２０に記憶された車載機側ＩＤとを照合し（Ｓ１３０）、受信ＩＤと車載機側ＩＤとが違う場合は、受信ＩＰアドレスをグループＩＰアドレス記憶部３０に記憶してグループ設定する（Ｓ１４０）。つぎに、ＣＰＵ１０がグループＩＰアドレス記憶部３０に受信ＩＰアドレスがグループ設定されたことを車載情報端末６０の表示部に表示し、車載ＩＰ通信端末１は受信ＩＰアドレスがグループ設定されたことをユーザに提示する（Ｓ１５０）。一方、ＣＰＵ１０が受信ＩＤと車載機側ＩＤとを照合し（Ｓ１３０）、受信ＩＤと車載機側ＩＤとが同じ場合は、受信ＩＤをドアのロック／アンロック信号とみなし、アクチュエータ制御部１３０に信号を出力する（Ｓ１６０）。
【００１４】
つぎに、第１の実施の形態の車両用ＩＰ通信システム、携帯送信機、車両用ＩＰ通信システム車載装置におけるグループ走行するときのＩＰアドレスの走行グループ設定について図３により説明する。まず、ユーザが車載情報端末６０により走行グループ設定を指示すると、ＣＰＵ１０はＩＰアドレス記憶部５０から自己ＩＰアドレスを読み出し（Ｓ２００）、ＩＰ送受信部４０を介して自己ＩＰアドレスを送信し、またグループ車両の他車ＩＰアドレスを受信する（Ｓ２１０）。受信した他車ＩＰアドレスとグループＩＰアドレス記憶部３０に記憶された記憶ＩＰアドレスとを比較し（Ｓ２２０）、他車ＩＰアドレスと記憶ＩＰアドレスとが同じ場合は、その他車ＩＰアドレスについて走行グループ設定を行ない（Ｓ２３０）、他車ＩＰアドレスと記憶ＩＰアドレスとが異なる場合は、その他車ＩＰアドレスについて走行グループ設定を行なわない（Ｓ２４０）。走行グループ設定がなされた場合は、ＣＰＵ１０は走行グループ設定がなされたことを車載情報端末６０の表示部に表示し、車載ＩＰ通信端末１は走行グループ設定がなされたことをユーザに提示する（Ｓ２５０）。
【００１５】
つぎに、第１の実施の形態の車両用ＩＰ通信システム、携帯送信機、車両用ＩＰ通信システム車載装置におけるＩＰアドレスのグループ設定の解除について図４により説明する。まず、ユーザが車載情報端末６０によりグループ設定を解除すべきＩＰアドレスを指定すると、ＣＰＵ１０がグループＩＰアドレス記憶部３０から記憶ＩＰアドレスを読み出す（Ｓ３００）。つぎに、ユーザがグループ設定解除ボタンを押すと、ＣＰＵ１０が読み出したグループＩＰアドレスをグループＩＰアドレス記憶部３０から消去することにより、ＩＰアドレスのグループ設定を解除する（Ｓ３１０）。つぎに、ＣＰＵ１０がＩＰアドレスが消去されたことを車載情報端末６０の表示部に表示し、車載ＩＰ通信端末１はＩＰアドレスが消去されたことをユーザに提示する（Ｓ３２０）。
【００１６】
以上説明したように、本実施の形態においては、携帯送信機２１に記憶されたＩＰアドレスを受信してグループＩＰアドレス記憶部３０に記憶してグループ設定を行なうので、簡単な操作でグループ設定を行なうことができる。また、簡単な操作でグループ設定の解除を行なうことができる。さらに、携帯送信機２１の送信要求ボタンを一定時間以上押さないとＩＰアドレスが送信されないので、誤操作で送信要求ボタンを押してもＩＰアドレスのグループ設定が行なわれない。また、車載ＩＰ通信端末１はＩＰアドレスがグループ設定されたことをユーザに提示するので、ユーザはＩＰアドレスのグループ設定を確認することができる。また、車載ＩＰ通信端末１はＩＰアドレスが走行グループ設定されたことをユーザに提示するので、ＩＰアドレスの走行グループ設定を確認することができる。
【００１７】
なお、グループＩＰアドレス記憶部３０に記憶されたＩＰアドレスのグループ設定が有効か、無効かを示すＯＮ／ＯＦＦフラグを記憶するフラグ記憶手段を車載ＩＰ通信端末１に設け、受信ＩＤと車載機側ＩＤとが一致しないとき、ＣＰＵ１０によりグループＩＰアドレス記憶部３０に記憶されたＩＰアドレスのうち受信ＩＰアドレスと同じでかつＯＮ／ＯＦＦフラグがＯＦＦになっているＩＰアドレスのＯＮ／ＯＦＦフラグをＯＮにすることによってグループ設定してもよい。この場合、以前にグループＩＰアドレス記憶部３０に記憶したＩＰアドレスを利用することができる。
【００１８】
また、ユーザがグループ設定解除ボタンを押したとき、ＣＰＵ１０がＯＮ／ＯＦＦフラグがＯＮになっているＩＰアドレスのＯＮ／ＯＦＦフラグをＯＦＦにすることによってグループ設定を解除してもよい。
【００１９】
また、ＯＮ／ＯＦＦフラグがＯＮになってから一定時間例えば２４時間が経過したとき、ＣＰＵ１０がＯＮ／ＯＦＦフラグがＯＮになっているＩＰアドレスのＯＮ／ＯＦＦフラグをＯＦＦにして、グループ設定を解除してもよい。この場合、グループ設定したままになる心配がなくなる。
【００２０】
また、車載ＩＰ通信端末１に、自宅の所在地を登録する自宅登録手段と、自宅登録手段に登録された情報に基づいて自宅に到着したことを検出する自宅到着検出手段とを備え、自宅到着検出手段が自宅に到着したことを検出し、かつアクチュエータ制御部１３０がエンジンがかかっていないことを検知したとき、ＣＰＵ１０がＯＮ／ＯＦＦフラグがＯＮになっているＩＰアドレスのＯＮ／ＯＦＦフラグをＯＦＦにすることによりグループ設定を解除してもよい。この場合、グループ設定したままになる心配がなくなる。
【００２１】
（第２の実施の形態）
第２の実施の形態の車両用ＩＰ通信システム、携帯送信機、車両用ＩＰ通信システム車載装置の構成は第１の実施の形態の車両用ＩＰ通信システム、携帯送信機、車両用ＩＰ通信システム車載装置の構成とほぼ同じであるが、以下の部分が異なる。すなわち、車両側送受信ユニット２０は、送受信部１１０がＩＰアドレスを受信したとき、ハザードランプ等の光またはクラクション音等の音で応答する応答手段を有している。
【００２２】
つぎに、第２の実施の形態の車両用ＩＰ通信システム、携帯送信機、車両用ＩＰ通信システム車載装置におけるＩＰアドレスのグループ設定について図５により説明する。まず、ユーザが送信要求ボタンを一定時間以上押す（Ｓ４００）と、携帯送信機２１からＩＤ記憶部２２０に記憶されたＩＤ、ＩＰアドレス記憶部２３０に記憶されたＩＰアドレスが送信され、送受信部１１０が携帯送信機２１から送信されたＩＤとＩＰアドレスとを受信する（Ｓ４１０、Ｓ４２０）。つぎに、ＣＰＵ１０が受信ＩＤと車載機側ＩＤとを照合し（Ｓ４３０）、受信ＩＤと車載機側ＩＤとが違う場合は、アクチュエータ制御部１３０でエンジンがかかっているかどうか検知し、エンジンがかかっていない場合には、受信ＩＰアドレスをグループＩＰアドレス記憶部３０に記憶しない。一方、エンジンがかかっている場合には、ＣＰＵ１０がＩＰアドレスのグループ設定要求があったことを車載情報端末６０を介してユーザに提示し、ユーザは車載情報端末６０の入力部（図示せず）からＩＰアドレスのグループ設定の確認を行なう（Ｓ４５０）。このとき、ＩＰアドレスを受信してから一定時間以内にユーザによるＩＰアドレスのグループ設定の確認がない場合は、ＣＰＵ１０は受信ＩＰアドレスをグループＩＰアドレス記憶部３０に記憶しない。一方、ユーザが一定時間以内にＩＰアドレスのグループ設定の確認を行なうと、ＣＰＵ１０は受信ＩＰアドレスをグループＩＰアドレス記憶部３０に記憶してグループ設定する（Ｓ４６０）。つぎに、ＣＰＵ１０は受信ＩＰアドレスがグループ設定されたことを車載情報端末６０の表示部に表示し、車載ＩＰ通信端末１が受信ＩＰアドレスがグループ設定されたことを受信側ユーザに提示する（Ｓ４７０）。つぎに、車両側送受信ユニット２０の応答手段は受信ＩＰアドレスがグループ設定されたとき光または音で応答することにより、車両側送受信ユニット２０は受信ＩＰアドレスがグループ設定されたことを送信側ユーザに提示する（Ｓ４８０）。また、車両側送受信ユニット２０により受信ＩＰアドレスがグループ設定されたことを送信側ユーザに提示された結果、送信側ユーザが誤ってＩＰアドレスのグループ設定要求をしたことに気が付き、送信側ユーザが携帯送信機２１のキャンセルボタンを押すと、ＣＰＵ１０はグループＩＰアドレス記憶部３０から受信ＩＰアドレスを消去する。一方、受信ＩＤと車載機側ＩＤとを照合し（Ｓ４３０）、受信ＩＤと車載機側ＩＤとが同じ場合は、受信ＩＤをドアのロック／アンロック信号とみなし、アクチュエータ制御部１３０に信号を出力する（Ｓ４９０）。
【００２３】
なお、グループ走行するときの走行グループ設定およびグループ設定の解除については第１の実施の形態と同様である。
【００２４】
以上説明したように、本実施の形態においては、携帯送信機２１に記憶されたＩＰアドレスを受信してグループＩＰアドレス記憶部３０に記憶してグループ設定を行なうので、簡単な操作でグループ設定を行なうことができる。また、簡単な操作でグループ設定の解除を行なうことができる。また、エンジンがかかっていない状態でＩＰアドレスを受信しても、ＩＰアドレスのグループ設定が行なわれないので、車両内にユーザがいない間に知らない人に勝手にグループ設定されることがなくなる。また、ＩＰアドレスを受信して一定時間以内にユーザによるＩＰアドレスのグループ設定の確認がない場合は、ＩＰアドレスのグループ設定が行なわれないので、車両内にユーザがいない間に知らない人に勝手にグループ設定されることがなくなる。また、受信ＩＰアドレスがグループ設定されたとき、車両側送受信ユニット２０が光または音で応答することにより、受信ＩＰアドレスがグループ設定されたことを送信側ユーザに提示するから、誤ってＩＰアドレスのグループ設定要求を出したことを気付かせることができ、送信側ユーザがキャンセルすることができるので、誤ってＩＰアドレスのグループ設定が行なわれることがなくなる。
【００２５】
（第３の実施の形態）
第３の実施の形態の車両用ＩＰ通信システム、携帯送信機、車両用ＩＰ通信システム車載装置の構成は第２の実施の形態の車両用ＩＰ通信システム、携帯送信機、車両用ＩＰ通信システム車載装置の構成と同じである。
【００２６】
つぎに、第３の実施の形態の車両用ＩＰ通信システム、携帯送信機、車両用ＩＰ通信システム車載装置におけるＩＰアドレスのグループ設定について図６により説明する。まず、ユーザが送信要求ボタンを一定時間以上押す（Ｓ５００）と、携帯送信機２１からＩＤ記憶部２２０に記憶されたＩＤ、ＩＰアドレス記憶部２３０に記憶されたＩＰアドレスが送信され、車両側送受信ユニット２０の送受信部１１０が携帯送信機２１から送信されたＩＤとＩＰアドレスとを受信する（Ｓ５１０、Ｓ５２０）。つぎに、ＣＰＵ１０が受信ＩＤと車載機側ＩＤと照合し（Ｓ５３０）、受信ＩＤと車載機側ＩＤとが違う場合は、アクチュエータ制御部１３０でエンジンがかかっているかどうか検知し（Ｓ５４０）、エンジンがかかっていない場合には、受信ＩＰアドレスをグループＩＰアドレス記憶部３０に記憶しない。一方、エンジンがかかっている場合には、ＣＰＵ１０がＩＰアドレスのグループ設定要求があったことを車載情報端末６０を介してユーザに提示し、ユーザは車載情報端末６０の入力部（図示せず）からＩＰアドレスのグループ設定の確認を行なう（Ｓ５５０）。このとき、ＩＰアドレスを受信してから一定時間以内にユーザによるＩＰアドレスのグループ設定の確認がない場合は、ＣＰＵ１０は受信ＩＰアドレスをグループＩＰアドレス記憶部３０に記憶しない。一方、ユーザが一定時間以内にＩＰアドレスのグループ設定の確認を行なうと、ＣＰＵ１０は受信ＩＰアドレスをグループＩＰアドレス記憶部３０に記憶してグループ設定する（Ｓ５６０）。つぎに、ＣＰＵ１０は受信ＩＰアドレスがグループ設定されたことを車載情報端末６０の表示部に表示し、車載ＩＰ通信端末１が受信ＩＰアドレスがグループ設定されたことを受信側ユーザに提示する（Ｓ５７０）。つぎに、車両側送受信ユニット２０の応答手段は受信ＩＰアドレスがグループ設定されたとき光または音で応答することにより、車両側送受信ユニット２０は受信ＩＰアドレスがグループ設定されたことを送信側ユーザに提示する（Ｓ５８０）。一方、ＣＰＵ１０は受信ＩＤと車載機側ＩＤとを照合し（Ｓ５３０）、受信ＩＤと車載機側ＩＤとが同じ場合は、受信ＩＰアドレスを自己ＩＰアドレスとしてＩＰアドレス記憶部５０に記憶する（Ｓ５９０）。つぎに、ＣＰＵ１０は受信ＩＰアドレスがＩＰアドレス記憶部５０に記憶されたことを車載情報端末６０の表示部に表示し、車載ＩＰ通信端末１が自己ＩＰアドレスがＩＰアドレス記憶部５０に記憶されたことをユーザに提示する（Ｓ６００）。
【００２７】
なお、グループ走行するときの走行グループ設定およびグループ設定の解除については第１の実施の形態と同様である。
【００２８】
以上説明したように、本実施の形態の発明は、携帯送信機２１に記憶されたＩＰアドレスを受信してグループＩＰアドレス記憶部３０に記憶してグループ設定を行なうので、簡単な操作でグループ設定を行なうことができる。また、簡単な操作でグループ設定解除できる。さらに、携帯送信機２１から車載ＩＰ通信端末１に自己ＩＰアドレスを記憶することができる。また、自己ＩＰアドレスがＩＰアドレス記憶部５０に記憶されたことをユーザに提示するから、自己ＩＰアドレスの記憶を確認することができる。
【００２９】
なお、本発明は以上の実施の形態に限定されるものではなく、また以上の実施の形態のいずれかを組み合わせてもよい。
【００３０】
また、上述実施の形態においては、入力部２４０が送信要求ボタンを有している場合について説明したが、送信要求ボタンを入力部とは別に設けてもよい。また、上述実施の形態においては、車載情報端末６０が表示部を有している場合について説明したが、表示部を車載情報端末とは別に設けてもよい。また、上述実施の形態においては、受信ＩＤと車載機側ＩＤとが一致しないとき、グループＩＰアドレス記憶部３０に記憶されたＩＰアドレスのうち受信ＩＰアドレスと同じＩＰアドレスのＯＮ／ＯＦＦフラグをＯＮにしたが、車載情報端末６０により指示されたとき全てのＩＰアドレスのＯＮ／ＯＦＦフラグをＯＮにしてもよい。
【図面の簡単な説明】
【００３１】
【図１】本発明に係る車両用ＩＰ通信システム、携帯送信機、車両用ＩＰ通信システム車載装置の構成を示す図である。
【図２】第１の実施の形態の車両用ＩＰ通信システム、携帯送信機、車両用ＩＰ通信システム車載装置の動作を説明するためのフローチャートである。
【図３】第１の実施の形態の車両用ＩＰ通信システム、携帯送信機、車両用ＩＰ通信システム車載装置の動作を説明するためのフローチャートである。
【図４】第１の実施の形態の車両用ＩＰ通信システム、携帯送信機、車両用ＩＰ通信システム車載装置の動作を説明するためのフローチャートである。
【図５】第２の実施の形態の車両用ＩＰ通信システム、携帯送信機、車両用ＩＰ通信システム車載装置の動作を説明するためのフローチャートである。
【図６】第３の実施の形態の車両用ＩＰ通信システム、携帯送信機、車両用ＩＰ通信システム車載装置の動作を説明するためのフローチャートである。
【符号の説明】
【００３２】
１…車両用ＩＰ通信端末            １０…ＣＰＵ
２０…車両側送受信ユニット          ２１…携帯送信機
３０…グループＩＰアドレス記憶部    ４０…ＩＰ送受信部
５０…第２のＩＰアドレス記憶部      ６０…車載情報端末
１００…ＣＰＵ                      １１０…送受信部
１２０…第２のＩＤ記憶部            １３０…アクチュエータ制御部
２００…ＣＰＵ                      ２１０…送信部
２２０…第１のＩＤ記憶部            ２３０…第１のＩＰアドレス記憶部
２４０…入力部
【図１】
2005117553.tif 000003
【図２】
2005117553.tif 000004
【図３】
2005117553.tif 000005
【図４】
2005117553.tif 000006
【図５】
2005117553.tif 000007
【図６】
2005117553.tif 000008